Podtech/llm-jp-corpus-v4-ja_patent huggingface dataset:
(57)【要約】【課題】電気ひげそり機と鼻毛カッターの２台を所有することは、お金がかかること、また常に２台持っていなければ、それぞれの機能を同時に発揮することができないという難点がある。そこで鼻毛カッターの機能を電気ひげそり機に付加することができれば、１台の電気ひげそり機で鼻毛の処理と耳毛の処理を同時に処理することができる。つまり、低コストで便利な電気ひげそり機を提供することを可能とする。【解決手段】通常電気ひげそり機本体１には、キワゾリトリマー２が付いているが、幅が広いため、鼻毛処理のような狭い部分の毛のトリマーはできない。そこでアイデアは、キワゾリトリマー２の幅を図１のように、鼻の中に挿入できる程度の幅の鼻毛トリマー３とに分割することによって、鼻毛処理のような狭い部分の毛のトリマーができることになる。つまり、課題解決の手段としては、キワゾリトリマー２を細くした、鼻毛トリマー付電気ひげそり機を提供することで課題を解決するものである。【選択図】    図１
2005237936.tif 000002
【特許請求の範囲】
【請求項１】
通常電気ひげそり機本体１には、キワゾリトリマー２が付いているが、幅が広いため、鼻毛処理のような狭い部分の毛のトリマーはできない。そこで、請求項１は、キワゾリトリマー２の幅を図１のように、鼻の中に挿入できる程度の幅の、鼻毛トリマー３とに分割することによって、鼻毛処理のような狭い部分の毛のトリマーができることを特徴とした鼻毛トリマー付電気ひげそり機。
【請求項２】
請求項１の鼻毛トリマー３を、電気ひげそり機本体１のキワゾリトリマー２の反対側に、図３のように独立して装着したことを特徴とした鼻毛トリマー付電気ひげそり機。
【発明の詳細な説明】
【技術分野】
【０００１】  通常電気ひげそり機本体１には、キワゾリトリマー２が付いているが、幅が広いため、鼻毛処理のような狭い部分の毛のトリマーはできない。そこでのアイデアは、キワゾリトリマー２の幅を図１のように、鼻の中に挿入できる程度の幅の鼻毛トリマー３とに分割すれば、鼻毛処理のような狭い部分の毛のトリマーができることである。つまり、技術的分野としては、キワゾリトリマー２の形状を細くして、鼻の中に挿入できる幅の鼻毛トリマー３を設置することにより、１台の電気ひげそり機で鼻毛の処理の機能を満足することができることである。
【背景技術】
【０００２】  通常鼻毛の処理については、専用器具、理髪店等によって処理されているが、キワゾリトリマーを応用した、鼻毛トリマー付電気ひげそり機はなかった。
【発明が解決しようとする課題】
【０００３】  電気ひげそり機と鼻毛カッターの２台を所有することは、お金がかかることと、常に２台持っていなければ、それぞれの機能を同時に発揮できないという難点があった。その結果として、顎とか口辺りのヒゲは処理されていても、肝心の鼻ヒゲや耳ヒゲが伸びたままの人が見受けられている。本発明は、２台所有することによる、コスト面と不便さを解消するためになされたものである。
【課題を解決するための手段】
【０００４】  通常電気ひげそり機本体１には、キワゾリトリマー２が付いているが、幅が広いため、鼻毛処理のような狭い部分の毛のトリマーはできない。そこでアイデアは、キワゾリトリマー２の幅を図１のように、鼻の中に挿入できる程度の幅の鼻毛トリマー３とに分割することによって、鼻毛処理のような狭い部分の毛のトリマーができることになる。つまり、課題解決の手段としては、キワゾリトリマー２を応用することで、課題を解決するものである。
【発明の効果】
【０００５】電気ひげそり機と鼻毛カッターの２台を所有する必要がなくなり、電気ひげそり機さえあれば、いつでもどこででも、鼻毛の処理ができる。即ち、低コストと便利さに発明の効果が期待される。
【発明を実施するための最良の形態】
【０００６】以下、本発明を実施するための最良の形態について説明する。
（イ）．電気ひげそり機本体１に付いているキワゾリトリマー２を、鼻毛トリマー３とに、縦方向に分割して設置する。
（ロ）．鼻毛トリマー３を使用時は、図１のように上部にスライドさせ使用できるようにする。
（ハ）．鼻毛トリマー３を使用しないときは、図２のように下部にスライドさせる。
【図面の簡単な説明】
【０００７】
【図１】本発明の鼻毛トリマー３を使用している状態を示す正面図である。
【図２】本発明の鼻毛トリマー３を使用していない状態を示す断面図である。
【図３】本発明の鼻毛トリマー３を独立して設置した状態を示す断面図である。
【符号の説明】
【０００８】      １  電動ひげそり機本体
２  キワゾリトリマー
３  鼻毛トリマー
【図１】
2005237936.tif 000003
【図２】
2005237936.tif 000004
【図３】
2005237936.tif 000005
(57)【要約】【課題】本発明は、コストが安く、背中の窪みを気持ち良く洗う。【解決手段】本発明は、タオルに同じ布で両端を縫い合わせ、通り抜ける状態にして上からくぐらせ、引っ張っても同じコブをつくる。【選択図】図２
2005237920.tif 000002
【特許請求の範囲】
【請求項１】
１ｍ位のタオル中央に１５ｃｍ位の同じ布を当て、両端を縫い合わせ、通り抜けできる状態にする事により、
長い方の布をその当て布に上から通す（くぐらせる）事によって、引っ張っても無理の無いコブができる。
そのコブの部分が背中の窪みの所に当たり、気持ちよく洗うことができる。
しかも、同じ布なのでコストが安い。
【発明の詳細な説明】
【技術分野】
【０００１】本考案は、引っ張っても無理の無いコブが、背中の届きづらい窪みの部分に当たり、気持ち良く洗ってくれる体を洗うタオルである。
【背景技術】
【０００２】  １ｍ位のタオル中央に１５ｃｍ位の同じ布を当て、両端を縫い合わせ、通り抜けできる状態にする事により、
長い方の布をその当て布に上から通す（くぐらせる）事によって、引っ張っても無理の無いコブをつくる。
【発明の開示】
【発明が解決しようとする課題】
【０００３】今までのタオルでは、背中の窪みに届かない。結んで使ったとしても、左右引っ張られてコブがきつくなり小さくなる為、解きづらい。
【課題を解決する為の手段】
【０００４】引っ張っても無理の無いコブを作る。しかも解きやすくする。
【発明の効果】
【０００５】左右引っ張っても同じ状態のコブが作れ、同じ状態なのできつくなく解きやすい。そのコブの部分が背中の窪みに当たり、気持ち良く洗える。
同じ布でくぐらせるだけなので、コストが安い。
【発明の実施する為の最良の形態】
【０００６】当て布にタオルを通し、引っ張っても無理の無い洗いづらい背中の窪みなどを洗う。当て布の部分を輪にして、引っ掛けてぶら下げておける。
【実施】
【０００７】以下、添付図面に従って一実施例を説明する。▲１▼は、体を洗うタオルである。▲２▼も同じ布である。▲１▼を▲２▼に、上からくぐらせるだけ。
左右引っ張ってもコブの状態が同じで、高さが背中の窪みにピッタリ。あとは普通に体を洗い、特に左右の先端を持ちやすいように持ち、
左右に動かしコブの部分を背中の窪みに当てて洗う。
【図面の簡単な説明】
【０００８】
【図１】本発明の背中の窪みも洗えるタオルの平面図
【図２】本タオルの一実施例を示す完成図
【符号の説明】
【０００９】１  長い方のタオル
２  当て布
【図１】
2005237920.tif 000003
【図２】
2005237920.tif 000004
(57)【要約】【課題】高齢者社会に向けて独居老人が増えることを考え、扱いやすく、自分一人で貼りやすくする為のローラー状の湿布薬を提供する。【解決手段】湿布薬の薬面が外側になるようローラー状にし、ローラーを肌の上を転がすことにより湿布薬の貼り付けを容易にし、さらにローラーの利用範囲を広げる為に、取り付け可能な伸縮棒を付属したローラー状の湿布薬。【選択図】図１
2005237917.tif 000002
【特許請求の範囲】
【請求項１】
湿布薬の薬面が外側になる状態でローラーに巻いておき、ローラーを転がすことによって湿布薬を肌に貼り付けることが出来るローラー状湿布薬。
【発明の詳細な説明】
【技術分野】
【０００１】本発明は扱いにくく自分一人で貼りにくい湿布薬をローラー状にし貼りやすくしたローラー状の湿布薬に関するものである。
【背景技術】
【０００２】従来のシート状の湿布薬は保護シートをはがした後扱いにくく、両手で持って貼り付けなければならず  自分一人で湿布薬を貼れる範囲が狭かった。
【発明の開示】
【発明が解決しようとする課題】
【０００３】そのために次のような問題点があった
（イ）保護シートを外したあと湿布薬同士がくっつく等、湿布薬の扱いが難しい
（ロ）湿布薬を両手で持って貼らねばならないので自分ひとりで貼れる範囲が狭かった。又、手の届かぬ箇所のはりつけには人手を要する為、利用範囲が限られていた。
本発明は、以上の問題点を解決する為になされたものである。
【課題を解決する手段】
【０００４】  湿布薬をローラー状の器具に薬面が外側になるように巻きつけておき、保護シートを外した状態で、ローラーを肌の上に転がすことにより湿布薬を貼り付ける。
又、ローラーの持ち手に取り付けられる伸縮棒を使用することにより、背中等自分で貼り付け可能な範囲が広がるローラー状の湿布薬である。
【発明の効果】
【０００５】    保護シートを外した後も湿布薬がローラーの上で動かない為  湿布薬同士がくっつかないで済み、扱いやすく無駄が無い。
自分自身では手が届かず肩の奥や背中、腰等に簡単に貼り付けることが出来るので利用範囲が広がる。
高齢化社会のため今後独居の人が増え、特に湿布薬の使用確率の多い高齢者がヘルパーは医療行為ができない為、独居の高齢者は湿布薬治療が受けられない。との事例もあるので一人で貼れる湿布薬は便利で重宝。
【発明を実施するための最良の形態】
【０００６】  以下本発明の実施の形態について説明する。
（イ）薬面に保護シートを被せた状態の湿布薬（１）を持ち手の付いたローラー状の器具（４）に薬面が外側になるように５枚から１０枚位巻いておく。
（ロ）薬面の保護シート（２）を外した折に、湿布薬が落下しないように、湿布役の薬面とは反対面側に軽い粘着剤（３）を付けておく。
（ハ）ローラー器具の持ち手に接続する伸縮棒（５）は、肩部分でＵ形に曲げておき、さらに背中や腰に届かせる為長さを調節できるような組み立て構造にする。
（ニ）ローラー状湿布薬の部分だけ取り外せて互換性を持たせれば、経済的
（ホ）収納用のケースがあれば便利
【図面の簡単な説明】
【０００７】
【図１】本発明の斜視図
【図２】本発明の分解側面図
【図３】本発明の付属品斜視図
【図４】本発明の使用状態を示す斜視図
【符号の説明】
【０００８】１  湿布薬
２  保護シート
３  粘着剤
４  ローラー状の器具
５  伸縮棒
【図１】
2005237917.tif 000003
【図２】
2005237917.tif 000004
【図３】
2005237917.tif 000005
【図４】
2005237917.tif 000006
(57)【要約】      （修正有）【課題】首筋（頸動脈）を冷却する物は無かったが、首筋（頸動脈）を冷却する。【解決手段】首筋に添うような形状の柔軟な（１）本体に（３）冷却剤を入れ、（４）栓をする。または（３）冷却剤が内蔵されている（１）本体でも良い。【選択図】図１
2005237916.tif 000002
【特許請求の範囲】
【請求項１】
首筋に添うよう冷却剤等を入れる事が出来る物。
【発明の詳細な説明】
【発明の詳細な説明】
【０００１】［発明の属する技術分野］本発明は首筋に添うよう立体的で柔軟な形状の容器の中に水や氷等の冷却剤を入れられる、又は冷却剤を含むようにした物で、形状から頸動脈を冷却出来るようにした物である。
【０００２】［従来の技術］従来、発熱の際は頭（脳）を冷却する事が重要である。よって、頭（脳）を冷却する事が前提で、頭を冷却する事が目的である。形状も頭を冷却するため、頭の上もしくは下から冷却する形状である。その効果は、頭（脳）に入った熱を冷却するため、熱による頭痛は起きやすい物である。
【０００３】［発明実施の形態］  これを図面にて説明すると首筋に添うよう立体的で柔軟な（１）本体の（２）口部分より（３）冷却剤を入れ（４）栓を閉める事が出来る。ただし、（３）冷却剤を内蔵の本体であれば（４）栓は無く密閉でも良い。
【０００４】［発明の効果］  このようにすれば、頭（脳）に入る前に熱を持った血液を首筋（頸動脈）で冷却する事が出来、熱による頭痛も起きにくくなる。
【図面の簡単な説明】
【図１】本発明の斜視図
【図２】本発明の断面図
【符号の説明】
（１）本体（２）口部分（３）冷却剤（４）栓
【図１】
2005237916.tif 000003
【図２】
2005237916.tif 000004
(57)【要約】【課題】花瓶において花が倒れやすく机の上等にしか置けなかったものを、立体的に複数個、花が倒れずに設置出来るようにする。【解決手段】支柱にベースつけて自立させ、その支柱に複数のピンやリングを、任意の位置に取り付ける事が出来、そのピンやリングに花瓶を設置し、上のリングが花を倒れなくする。【選択図】図１
2005237918.tif 000002
【特許請求の範囲】
【請求項１】
支柱の任意の位置に、複数のピンやリングを取り付ける事が可能でそのピンやリングに対して花瓶に穴や取っ手やへこみを設けて、支柱の任意の場所に簡単にセットする事が出来る。そしてその上の別のリングで花等を支えるので倒れずに、立体的に複数個の花瓶を展開可能です。又そのリングには、植木鉢の底部が  へこんでいて簡単に花器を載せることが出来て、倒れにくくなっています。
【発明の詳細な説明】
【技術分野】
【０００１】本発明は、一本の支柱の任意の場所に複数のピンやリングを簡単に取り付けることが出来、花瓶等を複数個設置しても花等が倒れなくするための技術に関する。
【発明の開示】
【発明が解決しようとする課題】
【０００２】従来の花器は机の上や床に単独で置かれ花が倒れやすかったし、床から離れて立体的に展開出来なっかた。
【課題を解決するための手段】
【０００３】支柱の任意の位置に、複数のピンやリングを取り付ける事が可能でそのピンやリングに対して花瓶に穴や取っ手やへこみを設けて、支柱の任意の場所に簡単にセットする事が出来る。そしてその上の別のリングで花等を支えるので倒れずに、立体的に複数個の花瓶を展開可能です。又そのリングには、植木鉢の底部が  へこんでいて簡単に花器を載せることが出来て、倒れにくくなっています。
【発明の効果】
【０００４】一本の支柱に複数の部品を誰でも簡単に取り付ける事ができ、花器を立体的に複数個、展開可能としかつ花を倒れにくくする。
【発明を実施するための最良の形態】
【０００５】丸い支柱を下のベースにより強固に自立させ、その支柱に誰でも簡単にピンやリングを装着出来て、その部品に対して花器を設置すると上下は元より支柱の周りどこでも設置出来る。
【図面の簡単な説明】
【０００６】
【図１】全体の見取り図である。
【図２】花器を載せた図である。
【符号の説明】
【０００７】１    花瓶Ａ
２    花瓶Ｂ
３    花瓶Ｃ
４    花瓶Ｄ
５    花器
６    ピンＡ
７    ピンＢ
８    リング
９    支柱
１０  ベース
【図１】
2005237918.tif 000003
【図２】
2005237918.tif 000004
(57)【要約】【課題】トランスの放熱【解決手段】基板の基板とトランスの磁心の距離が最も近い部分に第１の穴をあけ、筐体に第１の穴を貫通する筐体から突起した第１の台を設け、基板を筐体に固定することにより磁心と第１の台の互いの面を密着させる。【選択図】図１
2005237183.tif 000002
【特許請求の範囲】
【請求項１】
基板と前記基板の部品面に実装されている磁心を有するトランスと前記基板を固定する筐体を備えたスイッチング電源装置において、前記基板には前記基板と前記トランスの磁心の距離が最も近い所に第１の穴があり、前記筐体には前記第１の穴を貫通する突起した第１の台があり、前記基板を前記筐体に固定したときに前記トランスの磁心と前記第１の台の面どうしが接することを特徴とするスイッチング電源装置。
【請求項２】
前記基板には前記第１の穴の両脇にネジを通す第２の穴があり、前記筐体には前記第２の穴を通して基板をネジで固定できるネジ穴付きの突起した第２の台があり、前記トランスの磁心の前記第１の台に接している面と反対側の面に放熱板が接しており、前記放熱板がネジによって前記第２の穴を通して第２の台に固定されている請求項１記載のスイッチング電源装置。
【請求項３】
前記放熱板が前記筐体の一部を構成する請求項３記載のスイッチング電源装置。
【発明の詳細な説明】
【技術分野】
【０００１】  本発明はスイッチング電源装置に関し、より具体的にはトランスの放熱手段に関する。
【背景技術】
【０００２】  従来方式の１例として図４に示した方法がある。【０００３】  図４において、トランス１は基板より離れた位置で筐体に固定されており、基板２とトランス１の間は電線１４によって接続されている。
【発明の開示】
【発明が解決しようとする課題】
【０００４】  図４に示した従来方式の場合はスイッチング電源装置のスイッチ素子が実装されている基板とトランスの間が離れるためトランスのリーケージインダクタンスが増えてスイッチ素子に加わるサージ電圧が大きくなり、また基板とトランスを結ぶ電線からノイズが出やすくなる。
そこで本発明はトランスを基板に実装した状態で放熱を可能にする手段を提供するものである。
【課題を解決するための手段】
【０００５】  請求項１記載の発明において、基板の基板とトランスの磁心の距離が最も近い部分に第１の穴をあけ、筐体に第１の穴を貫通する筐体から突起した第１の台を設け、基板を筐体に固定することにより磁心と第１の台の互いの面を密着させる。【０００６】  請求項２記載の発明において、基板の第１の穴の両脇に第２の穴をあけ、この第２の穴を通して基板をネジで固定できるネジ穴付きの突起した第２の台を筐体に設け、磁心の第１の台に接している面と反対の面に放熱板をおき、この放熱板を基板の第２の穴を通るネジによって第２の台に固定した。【０００７】  請求項３記載の発明において放熱板は筐体の一部を構成している。
【発明の効果】
【０００８】  スイッチング電源装置は年々小型化されているがトランスそのもので生じる損失はそれ程下がっていない。そのためトランスを含めて小型化するときにトランスの放熱が問題になっている。特に強制空冷ができない環境ではトランスの放熱を解決する必要性が高まっている。本発明はトランスとスイッチ素子の配線を最適に保ちながらトランスの温度上昇を抑えることができるので今後のスイッチング電源の小型化に寄与する。
【発明を実施するための最良の形態】
【０００９】  トランスが発する熱は磁心から筐体を通り伝導するのでトランスの損失によって起きるトランス自体の温度上昇が小さくなる。
トランスとスイッチング素子が同じ基板の上に実装でき、その結果、トランスとスイッチ素子の間の配線が短くなるのでスイッチング電源の特性が良くなる。
【実施例】
【００１０】  図１は請求項１記載の発明の実施例を示す図である。
図１はトランスとスイッチ素子を真上から見た図とその断面の図を示している。トランス１の熱は第１の台３ａを伝導して筐体３から空気中に放熱される。【００１１】  図２は請求項２記載の発明の実施例を示す断面図である。放熱板４はネジ５とネジ６によって筐体３に固定されている。図２においてトランス１の熱は第１の台３ａと放熱板４を伝導して筐体３と放熱板４から空気中に放熱される。【００１２】  図３は請求項３記載の発明の実施例を示す断面図である。放熱板４を固定するネジ５とネジ６は延長用ネジ５ａと６ａに固定されており、延長用ネジ５ａと６ａは基板２を筐体３に固定する働きもしている。図３において筐体３は密閉型のケースであり、放熱板４は筐体３のふたとして筐体の一部を構成している。トランスの熱は第１の台３ａと放熱板４を伝導して筐体３から空気中に放熱される。
【産業上の利用可能性】
【００１３】  強制空冷ができない電源や密閉ケースに収納する電源や宇宙空間におかれる電源装置に応用できる。
【図面の簡単な説明】
【００１４】
【図１】  請求項１記載の発明の実施例を示す図である。
【図２】  請求項２記載の発明の実施例を示す図である。
【図３】  請求項３記載の発明の実施例を示す図である。
【図４】  従来の方式の１例を示す図である。
【符号の説明】
【００１５】  １  トランス
１ａ  トランスの磁心
２  基板
３  筐体
３ａ  第１の台
３ｂ、３ｃ  第２の台
４  放熱板
５、６  ネジ
５ａ、６ａ  延長用ネジ
７  スイッチ素子
８、９、１０、１１、１２、１３  ネジ
１４  トランスと基板を結ぶ電線
【図１】
2005237183.tif 000003
【図２】
2005237183.tif 000004
【図３】
2005237183.tif 000005
【図４】
2005237183.tif 000006
(57)【要約】      （修正有）【課題】放置自転車・バイクを乱雑に放置させないこと。同時に急増するホームレスを解消すること。【解決手段】ホームレスは非営利組織等に所属し、ボランティア活動として、最低３人が一組となり、交代制で常に駅前や公共施設付近等を監視し、乱雑に不法放置されている自転車やバイクの整理整頓を行い、強制的ではないが、その作業の対価として寄付を受け取る。【選択図】なし【特許請求の範囲】
【請求項１】
放置自転車・バイクをホームレスが監視・整理整頓することにより双方を解決する為の方法。
【発明の詳細な説明】
【技術分野】
【０００１】本発明は、社会問題化している駅前や公共施設付近等に乱雑に不法放置されている自転車やバイクを、同じく社会問題化しているホームレス（野宿生活者その他安定した居住の場所を有しない者であってこれに準じるもの）が整理整頓することにより双方を解決する為の方法に関する。
【背景技術】
【０００２】従来、駅前や公共施設付近等の自転車・バイク放置禁止場所では、定期的に一斉撤去が行われているが、撤去された自転車・バイクは、一定期間保管場所にて保管され、所有者に引き取られるか、処分される。【０００３】一方、経済の不況や雇用受け入れ先の減少に伴い、ホームレスは年々増加傾向にある。いったんホームレスになると再就職の為の雇用受け入れ先が殆どなくなり、国の支援制度である生活保護制度の活用も出来なくなり、野宿生活を続けなければならない状況に陥っている。
【発明が解決しようとする課題】
【０００４】自転車・バイクの撤去に係る経費は基本的に自治体の負担となっている。この経費の問題もあり、頻繁に撤去作業を行うことが出来ず、撤去時以外は自転車・バイクが乱雑に放置されている状態がほとんどであり、通行や災害時の避難路等を妨げ、街の美観も損ねている。放置自転車・バイクの撤去を、いかに費用をかけず頻繁に行うようにするかではなく、いかに自転車・バイクを乱雑に放置させないかが課題である。
【０００５】また、費用を極力抑え、絶え間無く行うことができるかが課題である。
【０００６】ホームレスに関しては、公的支援や一部ボランティア活動による支援を受けて、かろうじて生きてはいるが、限界があることも事実である。食べること・着ること・住まいを確保し、人とのコミュニケーションを計ることが出来る最低限の生活を確保する必要があるが、ホームレスをまともに雇う雇用主は皆無に近い。ホームレスから脱却し、他人に頼らず自ら自律の道を考えることが重要であり、その道をいかにして導くことができるかが課題である。
【課題を解決するための手段】
【０００７】前記の
【０００４】、
【０００５】、
【０００６】の課題を解決させる為に、ホームレスは非営利組織等に所属し、ボランティア活動として、最低３人が一組となり、交代制で常に駅前や公共施設付近等を監視し、乱雑に不法放置されている自転車やバイクの整理整頓を行い、強制的ではないが、その作業の対価として寄付を受け取る。
【発明の実態の形態】
【０００８】ホームレスは自ら非営利組織等に所属し、ボランティア活動として駅前や公共施設付近等を監視し、乱雑に不法放置されている自転車やバイクの整理整頓を行う。
【０００９】強制的ではないがその作業の対価として寄付を受け取る。
【００１０】あくまでもホームレス達の真面目なボランティア活動により恩恵を受けた者が自由意志による感謝の気持ちでホームレス達に寄付を行うものとする。
【００１１】寄付は金銭に限ったものではなく、食べ物、飲物、衣類等でも構わない。
【００１２】ボランティア活動を行うホームレスは、区域トラブルを防ぐ為あらかじめ区域を決めておく。
【００１３】通常の駐輪と長期放置駐輪を区別する為にシールをハンドル上部に貼り付ける。
【発明の効果】
【００１４】常に監視、整理整頓を行うことにより
【０００４】は解決し、通行路や災害時の避難路等の確保、街の美観の維持をすることが出来、不法な自転車・バイクの放置を防ぐことが出来る。
【００１５】ホームレスの自律支援という前提がある為、係る経費は低く抑えることが出来る。また交代制を取り入れることにより、絶え間なく監視を行うことが出来る。よって
【０００５】は解決する。
【００１６】最低３人のホームレスが一組になることにより、自律の維持を可能とする。
【００１７】ボランティア活動のみで自律できるだけの対価が得られるかは疑問が残るが、何もせず哀れみによる物乞いだけでは通常の社会人は相手にしないのが現状である。
【００１８】ましてやホームレスに対する社会人の目には、不衛生で街の景観を壊す厄介者として軽蔑の目で見ているのも現状であり、何も解決しない。
【００１９】ホームレス達が自律する為には、人や制度に頼らないことであり、ボランティア活動を通じて自ら社会に貢献し、社会の人から貢献度に応じて支援を受けることにより、ホームレス自ら自律の道を考え、ホームレスからの脱却につながり、
【０００６】の解決につながる。
(57)【要約】【課題】単相交流同期モータにおいて容易に起動することができる回転子を提供する。【解決手段】単相交流同期モータ１０の回転子１８において、Ｓ極とＮ極の磁極３６より構成された円柱型であり、断面形状が半円型のＳ極とＮ極の磁極３６，３６の間に略板状の鉄心３４を挟持したものである。【選択図】      図１
2005237152.tif 000002
【特許請求の範囲】
【請求項１】
２つの回転子極と２つの固定子極からなる永久磁石型の単相交流同期モータの回転子において、
レラクタンスを発生する突極構造の鉄心と、Ｓ極とＮ極の磁石で構成される
ことを特徴とする単相交流同期モータ。
【請求項２】
断面形状が半円型のＳ極とＮ極の磁極の間に略板状の鉄心が挟持されている
ことを特徴とする請求項１記載の単相交流同期モータ。
【発明の詳細な説明】
【技術分野】
【０００１】
本発明は、単相交流同期モータにおける特に回転子の構造に関するものである。
【背景技術】
【０００２】
単相交流同期モータ（以下、単にモータという）の起動方法としては、回転軸と負荷を所定の回転角のみフリーに回転する発明が提案されている（特許文献１）。
【０００３】
この従来の発明は、回転子は蓋によって密閉して閉じられたカップ状の円筒形のエレメントを有し、電磁石ロータがカップ状エレメント内に回転可能に収容され、回転子は回転軸について自由に回転し、運動伝達手段が前記回転子と回転軸間に設けられ、前記運動伝達手段は固定子によって起動された前記回転子が所定の回転角に渡って負荷無しで回転した後に前記回転軸を回転させる様に適合したものである。
【特許文献１】特開平８−２４２５６５号公報
【発明の開示】
【発明が解決しようとする課題】
【０００４】
上記の従来の発明においては、回転子の磁気回路は円筒形のマグネットで構成されており、マグネットトルクのみしか作用をしないので、ポンプ等の負荷が繋がった状態では、起動が困難であるという問題点がある。
【０００５】
また、負荷と回転軸を所定の角度のみフリーとするための構造が複雑であり、半回転は摺動する構造であるため長時間使用するとこの部分が劣化し起動特性が悪くなるという問題点がある。
【０００６】
そこで、本発明は上記問題点に鑑み、単相交流同期モータにおいて容易に起動することができる回転子を提供するものである。
【課題を解決するための手段】
【０００７】
請求項１に係る発明は、２つの回転子極と２つの固定子極からなる永久磁石型の単相交流同期モータの回転子において、レラクタンスを発生する突極構造の鉄心と、Ｓ極とＮ極の磁石で構成されることを特徴とする単相交流同期モータの回転子である。
【０００８】
請求項２に係る発明は、断面形状が半円型のＳ極とＮ極の磁極の間に略板状の鉄心が挟持されていることを特徴とする請求項１記載の単相交流同期モータの回転子である。
【発明の効果】
【０００９】
請求項１に係る発明であると、回転子をレラクタンストルクを発生する突極構造の鉄心と、Ｓ極とＮ極の永久磁石により構成される。例えば、回転子が、Ｓ極とＮ極の磁極より構成された円柱型であり、この回転子の外周における軸対称の相対向する位置に鉄心がそれぞれ設けられた構造である。
【００１０】
これにより、始動時において突極構造の鉄心によるレラクタンストルクを利用することにより、起動特性を改善できる。
【発明を実施するための最良の形態】
【００１１】
以下、本発明の一実施形態の単相交流同期モータ（以下、単にモータという）１０について説明する。
【００１２】
（１）モータ１０の構成
まず、図１に示すように、モータ１０の固定子１２はＵ字型の固定子鉄心１４の２つの固定子極に固定子巻線１６がそれぞれ巻回されている。
【００１３】
固定子鉄心１４の先端部内側は円弧状に切り欠かれ、その一対の固定子極の間には、回転子１８が回転自在に配されている。
【００１４】
回転子１８は、図１に示すように、略板状の鉄心３４を、断面半円型のＳ極とＮ極の一対の磁極３６、３６で挟持した構成となっており、全体としては断面真円型であり、回転子１８は円柱型となっている。そして、鉄心３４の中心部に回転軸が貫通する構造となっている。
【００１５】
このモータ１０を始動させるためには、回転子１８の回転方向へのトルクが生じる様な磁束φを発生させるように固定子巻線１６を励磁する。
【００１６】
（２）本実施形態の回転子１８の作用
始動制御方法において、本実施形態の回転子１８と、従来例の回転子の回転状態を比較しつつ、その作用を図２及び図３に基づいて説明する。
【００１７】
図２の上の図は、本実施形態の回転子１８のロータ回転角毎の図面であり、その下の図は従来例における回転子のロータ回転角毎の図である。図３は、本実施形態におけるトルクと位相の関係を示すグラフである。
【００１８】
なお、従来例の回転子は、鉄心３４を有しない形状のものであり、半円型のＳ極とＮ極の磁極により構成された円柱型の回転子である。
【００１９】
まず、従来例の回転子におけるトルクの変化は、図２に示すように、始動時において回転子が回転を始めた場合の、トルクと位相の関係は図３におけるマグネットトルクの状態となる。
【００２０】
次に、本実施形態の回転子１８の場合には、マグネットトルク以外に、突極型の鉄心３４によってレラクタンストルクが発生する。このレラクタンストルクは、電源周波数の２倍の周波数を有するものであり、回転子１８の回転に用いられるトルクは、マグネットトルクとレラクタンストルクを合成した合成トルクとなる。
【００２１】
この合成トルクは、従来例のマグネットトルクと比較した場合に、始動時の初期においてはマグネットトルクは小さいがレラクタンストルクは急激に増加する。したがって、起動トルクである合成トルクは増大し、モータ１０の回転を同期に引き込むことが容易となる。すなわち、回転角４５°で最大となるレラクタンストルクの作用により起動トルク（合成トルク）が増大し、早期に同期に引き込み安定した回転を得ることができる。
【００２２】
（変更例）
本発明は、本実施形態に限らずその趣旨を逸脱しない限り、いろいろと変更可能である。
【００２３】
例えば、図４に示すように、回転子１８の中心部分に板状の鉄心３４を設けて突極型の鉄心を設けたが、これに変えて、回転子１８の外周部の表面であって、軸対称の位置に鉄心３４、３４が露出した突極型の構造でもよい。
【産業上の利用可能性】
【００２４】
以上により本発明の単相交流同期モータであると、起動時の特性が改善され、鉄心によるレラクタンストルクとマグネットトルクとの合成トルクにより高トルク化、高効率化が実現することができるので、ポンプのモータなどに好適である。
【図面の簡単な説明】
【００２５】
【図１】本実施形態のモータと駆動装置の説明図である。
【図２】本実施形態と従来例のモータの回転の状態を説明する説明図である。
【図３】トルクと位相の関係を示すグラフである。
【図４】変更例２の回転子の断面図である。
【符号の説明】
【００２６】
１０  モータ
１２  固定子
１４  固定子鉄心
１６  固定子巻線
１８  回転子
３４  鉄心
３６  磁極
【図１】
2005237152.tif 000003
【図２】
2005237152.tif 000004
【図３】
2005237152.tif 000005
【図４】
2005237152.tif 000006
(57)【要約】【課題】  屋外型キュービクルの内部の温度上昇を抑制する。【解決手段】  鋼板製の筐体１の屋根２上には、太陽電池パネル３が設置されている。太陽電池パネル３の出力は電線を介して、筐体１内に設けられたコントローラに接続されている。コントローラの出力は筐体１に取り付けた電動換気扇５に接続されている。太陽電池パネル３に太陽光が照射され、太陽電池パネル３により発電がなされ、温度センサにより検知した筐体１内の温度が所定以上になると、コントローラは発電された電力により電動換気扇５を作動し、熱せられた筐体１内の空気を外部に放出する。【選択図】図１
2005237135.tif 000002
【特許請求の範囲】
【請求項１】
筐体の屋根上に太陽電池パネルを配置し、該太陽電池パネルにより発電した電力により、前記筐体に設けた電動換気扇を作動させることを特徴とする屋外型キュービクル。
【請求項２】
前記筐体内に温度センサを設け、該温度センサの出力を基に制御手段を介して前記電動換気扇を作動するようにしたことを特徴とする請求項１に記載の屋外型キュービクル。
【発明の詳細な説明】
【技術分野】
【０００１】
本発明は、例えばビルの屋上等に設け、ビル内の電気設備に給電する変電設備を備えた屋外型キュービクルに関するものである。
【背景技術】
【０００２】
従来、ビルの屋上や建物の脇等に設置してある例えば鋼板製のキュービクルにおいては、風雨から内部の電気設備を保護するために、防水構造の筐体が用いられている。
【発明の開示】
【発明が解決しようとする課題】
【０００３】
しかしながら、屋外に設置される屋外型キュービクルにおいては、電気設備からの発熱と共に強い直射日光が照射されると、内部の温度が上昇して、電気設備の寿命や耐久性に悪影響を及ぼす虞れがある。
【０００４】
また、クーラ等で内部を強制的に冷却する方法も考えられるが、消防法等の各種法令等の制約により設置できなかったり、設置のためのスペースが得られない場合もある。
【０００５】
本発明の目的は、上述の課題を解決し、筐体内部の温度上昇を簡便に抑制することができる屋外型キュービクルを提供することにある。
【課題を解決するための手段】
【０００６】
上記目的を達成するための請求項１に係る本発明は、筐体の屋根上に太陽電池パネルを配置し、該太陽電池パネルにより発電した電力により、前記筐体に設けた電動換気扇を作動させることを特徴とする屋外型キュービクルである。
【０００７】
また、請求項２に係る本発明は、前記筐体内に温度センサを設け、該温度センサの出力を基に制御手段を介して前記電動換気扇を作動するようにしたことを特徴とする請求項１に記載の屋外型キュービクルである。
【発明の効果】
【０００８】
本発明に係る屋外型キュービクルによれば、筐体の屋根上に太陽電池パネルを配置し、この太陽電池パネルで発電した電力により筐体に取り付けた電動換気扇を作動させて筐体内の温度上昇を抑制する。
【発明を実施するための最良の形態】
【０００９】
本発明を図示の実施例に基づいて詳細に説明する。
図１は本実施例の屋外型キュービクルの斜視図を示している。電気設備等を収納した鋼板製の筐体１の屋根２上には、太陽電池パネル３が設置され、筐体１の側壁４には電動換気扇５が取り付けられている。
【００１０】
また、図２のブロック回路構成図に示すように、太陽電池パネル３の出力は電線６を介して、筐体１内に設けられたコントローラ７、蓄電池８に接続されている。そして、コントローラ７の出力は電動換気扇５に接続されており、電動換気扇５には必要に応じて、防水用にシャッタが設けられている。更に、コントローラ７には筐体１内の温度を測定する温度センサ９が接続されている。
【００１１】
太陽電池パネル３に太陽光が照射され、太陽電池パネル３により発電がなされると、発電された電力は電線６を介して蓄電池８に蓄電される。また、温度センサ９により筐体１内の温度は常に測定されており、コントローラ７に筐体１内の温度情報が伝送されている。
【００１２】
温度センサ９で検出された筐体１内の温度が所定以上になると、コントローラ７が蓄電池８に蓄電された電力により電動換気扇５を作動することにより、熱せられた筐体１内の空気を外部に放出する。そして、筐体１内の温度が所定温度以下に下がると、電動換気扇５は停止する。
【００１３】
また、蓄電池８を介さずに太陽電池パネル３の出力により直接に電動換気扇５を作動させることもできるが、蓄電池８を使用した方が安定した電力を提供でき、朝晩或いは夜間等の太陽電池パネル３からの発電量が少ない時間帯でも換気を行うことができる。
【産業上の利用可能性】
【００１４】
また、太陽光の受光効率を高めるために、太陽電池パネル３を屋根２に対して傾斜して取り付けることができる。
【図面の簡単な説明】
【００１５】
【図１】屋外型キュービクルの斜視図である。
【図２】ブロック回路構成図である。
【符号の説明】
【００１６】
１  筐体
２  屋根
３  太陽電池パネル
４  側壁
５  電動換気扇
６  電線
７  コントローラ
８  蓄電池
９  温度センサ
【図１】
2005237135.tif 000003
【図２】
2005237135.tif 000004
(57)【要約】【課題】  この発明は、固形石鹸置きに関するものである。【解決手段】長方形状の板を長手方向と直角にU字形に曲げ、２つの平面の１つを舟型に曲げてできる凹部を固形石鹸が竪方向に収まるようにして固形石鹸と本石鹸置きとの接触面積を小さくするとともに、凹部の底を先端部に下がり傾斜にして、石鹸から流れ落ちた水を先端部の開孔部から常に排出されるようにして固形石鹸が自然乾燥されるようにした。【選択図】  図４
2005237402.tif 000002
【特許請求の範囲】
【請求項１】
長方形状の板を長手方向と直角にU字形に、かつ２平面間の角度が10度から40度になるように曲げ、２つできる平面の１つをもう一方の平面に向って凹に、かつ先端部を狭めて舟形になるように曲げて固形石鹸が載るようにした石鹸置き。
【発明の詳細な説明】
【技術分野】
【０００１】
本発明は固形石鹸置きに関するものである。
【背景技術】
【０００２】
従来、皿型の容器の中にすのこ状のものを置いたり、容器の底に水抜き用の開孔部を設け、その上に置いた石鹸に付着した水が固形石鹸から流れ落ちるようにして石鹸表面が水で膨潤しないようにした石鹸置きや石鹸皿が各種考案されている。
【発明の開示】
【発明が解決しようとする課題】
【０００３】
従来の石鹸置きの受け皿においては、一定量の水が貯まると水切りの機能を果たさないので水が溜まると捨てる必要がある上、受け皿は常時濡れた状態になるので清潔感に欠けた。また、容器の底に開孔部を設けたり、下部を開放した支持体で固形石鹸を支持するタイプにおいては石鹸置きの下が常時石鹸を含んだ水で濡らされて汚れ清潔感に欠けた。
さらに、何れのタイプとも石鹸置きの製作には高価な金型を用いた成型が必要であった。本発明はこれらの欠点を除くとともに、安価に製作できるようにするものである。
【課題を解決するための手段】
【０００４】
長方形状の板を長手方向と直角にU字形に曲げ、２つの平面の１つを舟型に曲げてできる凹部を固形石鹸が竪方向に収まるようにして固形石鹸と本石鹸置きとの接触面積を小さくするとともに、凹部の底を先端部に下がり傾斜にして、石鹸から流れ落ちた水を先端部の開孔部から常に排出されるようにして固形石鹸が自然乾燥されるようにした。
【発明の効果】
【０００５】
本発明によれば、固形石鹸の表面に付着した水は石鹸の収容部から速やかに排出され、石鹸表面の大部分は空気にふれる状態になっているので乾燥しやすく、表面が水で膨潤することが少ない。
本石鹸置きから排出される水は１ヶ所で、浴槽や洗面容器の上縁に置いて使用すれば排水は浴室洗い場や洗面容器内の水で洗い流される部分に落下するので石鹸置き周りが石鹸を含んだ水で汚れることなく清潔である。
本石鹸置きは１枚の板を曲げ加工するだけでよく、高価な金型や成型機を必要としないので安価に製作できる。
さらに、材料の板に装飾加工を施せば装飾性の高い石鹸置きを作ることができる。
【発明を実施するための最良の形態】
【０００６】
長方形状の板を長手方向と直角にU字形に、かつ２平面間の角度が10度から40度になるように曲げ、２つできる平面の１つをもう一方の平面に向って凹になるよう舟形に曲げ、かつ先端部を水の通過を妨げないよう隙間をあけて閉じ、曲面で構成された舟型部分に固形石鹸が竪方向に収まるようになっている。固形石鹸が収まる舟型の底は先端部に向って10度から40度の角度で下方に傾斜しているので固形石鹸は下方に移動して閉じられた先端部により落下しないようになっている。もう一方の平面は設置面となっている。
【実施例】
【０００７】
図１は本石鹸置きの平面図であり、１は本石鹸置き、２は固形石鹸である。
１Aは固形石鹸を収容する舟型の凹部であり、固形石鹸は通常図示のごとく平面状ではなく立てて置かれる。図２は側面図で、舟型の凹部の底は先端に向って下がり勾配になっている。図３は立面図で、１Bは固形石鹸から流れ落ちた水が排出されるように設けた開孔部である。
固形石鹸を収容する舟型の凹部は曲面で構成されているので固形石鹸との接触面積は小さく、固形石鹸の表面の大部分は空気にさらされて乾燥されやすい。固形石鹸表面から流れ落ちた水は凹部底部の傾斜に沿って速やかに開孔部より排出されるので固形石鹸が常時水と接触することもない。また、水の開孔部は図２に示すように下部の平面板の端より少なくとも5mm以上出して排水が下部の平面板上に落下しないようになっている。
凹部は舟型状になっているので固形石鹸が使用により小さくなっても倒れることなく立った状態で収容されるので、常に固形石鹸の表面の大部分は空気にさらされて水も速やかに排出される。
本石鹸置きは１枚の板を曲げて作られるが、これに用いる材料は熱可塑性樹脂板あるいは熱可塑性樹脂を主成分とする板や金属の板が好ましいが、表面が平滑で曲げ加工が出来るものであればよい。また、装飾性を高めるため透明な材料の内部に写真、布地などを挟み込んだものが使える。
図４は、本石鹸置きの立体図である。
図５、図６及び図７は曲げ加工前の板の形状を示すもので、固形石鹸を収容する舟型凹部に固形石鹸を立てられるに十分な深さを持たせるため、所要の巾が必要であるがデザインにより図示のごとき形状のものなどが用いられる。
【図面の簡単な説明】
【０００８】
【図１】本発明の平面図である。
【図２】本発明の側面図である。
【図３】本発明の立面図である。
【図４】本発明の立体図である。
【図５】曲げ加工前の板の形状が長方形の場合を示したものである。
【図６】凹部の深さを大きくするために先端部の巾を広げた曲げ加工前の板の形状の例を示したものである。
【図７】凹部の深さを大きくするために先端部の巾を広げた曲げ加工前の板の形状の例を示したものである。
【符号の説明】
【０００９】
１    本石鹸置き
１A    舟型凹部
１B    水の排出開孔
２    固形石鹸
【図１】
2005237402.tif 000003
【図２】
2005237402.tif 000004
【図３】
2005237402.tif 000005
【図４】
2005237402.tif 000006
【図５】
2005237402.tif 000007
【図６】
2005237402.tif 000008
【図７】
2005237402.tif 000009
(57)【要約】【課題】簡素な構成で、呼出の報知、及び呼び出したナースコール端末の特定ができる情報の報知を簡素な構成で実現するナースコール装置を提供する。【解決手段】電源電流を重畳した２線式通信線路と、ナースコール端末毎に異なるＩＤを記録したＩＤ記憶部からＩＤデータを読み出しＭＦ信号送信部に与える呼出制御手段と与えられらデータをＭＦ信号に変換し２線式通信線路に送出するＭＦ信号送信部からなるナースコール端末と、２線式通信線路からＭＦ信号を抽出するとともにデコードするデコード手段とデコードされたデータを表示する表示手段からなるナースコール親機でナースコール装置の呼び出し動作を行う。【選択図】図１
2005237771.tif 000002
【特許請求の範囲】
【請求項１】
電源電流を重畳した２線式通信線路と、前記２線式通信線路に接続されるナースコール端末と、ナースコール発生を報知するナースコール親機からなるナースコール装置において、
前記ナースコール端末は
与えられらデータをＭＦ信号に変換し前記２線式通信線路に送出するＭＦ信号送信部と
数字及び幾つかの記号からなるＩＤデータを記憶するＩＤ記憶部と
前記ＩＤ記憶部からＩＤデータを読み出し前記ＭＦ信号送信部に与える呼出制御手段と
前記２線式通信線路から電源電流を分離し消費回路に供給する分離回路
とからなることを特徴とするナースコール装置。
【請求項２】
電源電流を重畳した２線式通信線路と、前記２線式通信線路に接続されるナースコール端末と、ナースコール発生を報知するナースコール親機からなるナースコール装置において、
前記ナースコール親機は
前記２線式通信線路に電源電流を供給する電源部と
前記２線式通信線路から前記ＭＦ信号を抽出するとともにデコードするデコード手段と
前記デコード手段でデコードされたデータを表示する表示手段を有することを特徴とするナースコール装置。
【発明の詳細な説明】
【技術分野】
【０００１】
本発明は病棟等に設置され、患者が看護師等を呼び出す為のナースコール装置に関する。
【背景技術】
【０００２】
昨今のナースコール装置は特許文献で示したように多機能複雑化している。
一方、病棟等によっては、呼び出すだけの簡易なものを要求される場合が有る。
ナースコール装置の最も簡素な構成は図４に示すように電源とスイッチとブザー等を直列に接続するものがある。
患者等が複数の場合にはスイッチを並列に接続し増設すればよいが、一方どのスイッチで呼ばれたかは判らない。
【特許文献１】特開昭６３−１５５９４３号公報
【発明の開示】
【発明が解決しようとする課題】
【０００３】
本発明の課題は上記に鑑み、簡素な構成でありながら、どの患者等が呼出を行っているか判るナースコール装置の提供にある。
【課題を解決するための手段】
【０００４】
そこで本発明は、ナースコール端末に夫々異なるＩＤをＭＦ信号に変換し呼出信号として送出する。  
ナースコール親機は送られてきたＭＦ信号をデコードし、表示することにより課題を解決しようとするものである。
【発明の効果】
【０００５】
上記のような構成をとることにより、呼出と、呼び出した患者等を通知することが可能となる。
【発明を実施するための最良の形態】
【０００６】
図１は本願発明のナースコール装置である。 
【０００７】
図２は本発明のナースコール端末の構成を示したものである。
患者は看護師等に要が有ればナースコール端末を使用し呼出をかける。
よくある例はナースコール端末についている押し釦等を押すことになる。
【０００８】
発明１では、押し釦等（図示せず）が押されると呼出制御手段がＩＤ記憶部からＩＤデータを呼び出す。
また、呼び出されたデータはＭＦ信号送信部に与えられて、ＭＦ信号に変調され２線式通信線路に送出される。
【０００９】
上記のＩＤ記憶部はＲＯＭなどのメモリーを使用し、呼出制御手段はロジック回路からなるシーケンス制御回路又はマイコンなどを使用する。  
ＭＦ信号送信部は一般的にＤＴＭＦ・ＩＣ等と呼ばれる専用のＩＣを使用することができる。
分離回路はインダクタ等を用いて直流成分である電源電流を分離しＩＣ等に供給する。
【００１０】
図３は本発明のナースコール親機の構成を示したものである。
発明２では、ナースコール端末より呼出が掛かると、すなわちＭＦ変調されたＩＤ信号が到来すると、ＭＦ信号をデコード手段により、元のＩＤデータに変換する。
変換されたＩＤデータは表示手段に送られ、表示手段はＩＤデータを表示し、呼出、及び呼出をかけたナースコール端末のＩＤを報知する。
【００１１】
上記のデコーダ手段はＤＴＭＦ信号をデコードする専用ＩＣなどを使用すると便利である。
また、表示手段はＬＥＤ素子を８字状に配した、俗に言う７セグ表示素子などが使用できる。
【図面の簡単な説明】
【００１２】
【図１】・・・ナースコール装置
【図２】・・・ナースコール端末
【図３】・・・ナースコール親機
【図４】・・・最も簡素なナースコール装置
【図１】
2005237771.tif 000003
【図２】
2005237771.tif 000004
【図３】
2005237771.tif 000005
【図４】
2005237771.tif 000006